(57)【特許請求の範囲】
【請求項１】
外部機器から延びる入出力配線と接続される接続端子を有し、背面を建築物が有する壁に向けて前記壁に固定される取付具と、
前記接続端子と機器内配線によって接続される取付具コネクタと、
該取付具コネクタの末端部をスライド可能に保持する保持部材及び、前記保持部材の末端部を回転可能に保持する台座部材を有し、前記台座部材が前記取付具の正面側に固定され、かつ前記取付具コネクタの先端部が前記取付具の一方の端部側に向いた状態からその反対の他方の端部側に向いた状態へ、又はその逆方向に回転可能に前記台座部材が前記取付具に配置されたコネクタホルダと、
電子部品が実装された本体基板を有し、前記本体基板を背面側に向けて前記取付具の正面側に固定される電気機器本体と、
前記取付具コネクタの先端部が挿入される挿入口を端面に有し、前記電子部品と接続されるとともに、前記本体基板の背面側に固定される本体コネクタと、
を備え、
前記電気機器本体は、前記挿入口を前記取付具の前記一方の端部側に向けた状態、かつ前記取付具の前記他方の端部側に向いた状態に揺動した前記取付具コネクタの先端部が前記挿入口に挿入された状態で、前記取付具に固定される、
壁掛け電気機器。
【請求項２】
前記電気機器本体の上端部に設けられた掛止部と、
前記取付具の上端部に設けられ、前記掛止部が掛止可能な被掛止部と、
を有し、
前記掛止部が前記被掛止部に掛止することにより、前記電気機器本体が前記取付具に固定されている、
請求項１に記載の壁掛け電気機器。
【請求項３】
前記保持部材は、
前記取付具コネクタをスライドさせるスライド部と、
前記取付具コネクタが前記スライド部でスライドした場合に、前記取付具コネクタのスライドを一定の位置で停止させるストッパ部と、
を有する、
請求項１又は２に記載の壁掛け電気機器。
【請求項４】
前記電気機器本体は、
前記挿入口と、前記電気機器本体が前記取付具に固定されたときの、前記取付具の前記一方の端部側にある前記本体基板の端面との間かつ、前記挿入口の両側に配置され、前記保持部材の幅と同じ隙間を有して、前記保持部材を前記挿入口の側に案内し、前記取付具コネクタの先端部を前記挿入口に案内する複数のガイド部材をさらに有する、
請求項１から３のいずれか１項に記載の壁掛け電気機器。
【請求項５】
前記ガイド部材は、
前記本体コネクタの両側それぞれに設けられた円柱状のピンで構成される、
請求項４に記載の壁掛け電気機器。
【請求項６】
前記ガイド部材は、
前記電気機器本体のケースと一体成形された、
請求項４又は５に記載の壁掛け電気機器。
【請求項７】
前記電気機器本体は、
前記外部機器を制御するコントローラである、
請求項１から６のいずれか１項に記載の壁掛け電気機器。
【請求項８】
請求項１から７いずれか１項に記載の壁掛け電気機器の組み立て方法であって、
前記取付具の背面を前記建築物の壁に向けて前記取付具を前記壁に固定する工程と、
前記入出力配線を、前記壁に固定した前記取付具の前記接続端子に接続する工程と、
前記入出力配線を前記接続端子に接続した後に、前記本体コネクタの前記挿入口に前記取付具コネクタの前記先端部を挿入することで、前記本体コネクタと前記取付具コネクタを接続する工程と、
前記本体コネクタと前記取付具コネクタを接続した後に、前記電気機器本体の背面を前記取付具の正面に向けて前記電気機器本体を前記取付具に固定する工程と、
を備える、
壁掛け電気機器の組み立て方法。
【発明の詳細な説明】
【技術分野】
【０００１】
本発明は壁掛け電気機器および壁掛け電気機器の組み立て方法に関する。
【背景技術】
【０００２】
建築物の壁に固定されて使用される、インターフォン装置やエアコン、給湯器コントローラ装置等の壁掛け電気機器が開発されている。
【０００３】
例えば、特許文献１には、入出力配線が接続される端子基板を有し、壁に固定される取付具と、機器内配線によって端子基板と接続され、取付具に固定されるインターフォン本体と、を備える壁掛けインターフォン装置が開示されている。
【先行技術文献】
【特許文献】
【０００４】
【特許文献１】特開２００３−１２５０８９号公報
【発明の概要】
【発明が解決しようとする課題】
【０００５】
特許文献１の壁掛けインターフォン装置は、壁に取付具を固定する工程と、壁に固定された取付具から延びる機器内配線の端部を、リモコン本体やインターフォン本体の電気機器本体の端子に接続する工程と、機器内配線を接続した後、電気機器本体を取付具に固定する工程と、によって組み立てられる。
【０００６】
このような組み立てでは、電気機器本体の固定前に機器内配線の接続をするため、機器内配線が短い場合、取付具の近傍に電気機器本体を一旦配置し、一旦配置された機器内配線の端部を電気機器本体の端子に接続する必要がある。そのため、機器内配線の接続作業が容易でない。
【０００７】
一方、機器内配線が長い場合、電気機器本体を取付具に固定する際に、取付具と電気機器本体の間で機器内配線がたわんだり、取付具と電気機器本体の間に挟まったりする不具合が発生する。
【０００８】
本発明は上記の課題を解決するためになされたもので、取付具と電気機器本体との間で機器内配線がたわむことを防止するとともに、取付具と電気機器本体と容易に接続することができる壁掛け電気機器を提供することを目的とする。
【課題を解決するための手段】
【０００９】
上記の目的を達成するため、本発明に係る壁掛け電気機器は、取付具、取付具コネクタ、コネクタホルダ、電気機器本体及び、本体コネクタを備える。取付具は、外部機器から延びる入出力配線と接続される接続端子を有し、背面を建築物が有する壁に向けて壁に固定される。取付具コネクタは、接続端子と機器内配線によって接続される。コネクタホルダは、取付具コネクタの末端部をスライド可能に保持する保持部材及び、保持部材の末端部を回転可能に保持する台座部材を有し、台座部材が取付具の正面側に固定され、かつ取付具コネクタの先端部が取付具の一方の端部側に向いた状態からその反対の他方の端部側に向いた状態へ、又はその逆方向に回転可能に台座部材が取付具に配置されている。電気機器本体は、電子部品が実装された本体基板を有し、本体基板を背面側に向けて取付具の正面側に固定される。本体コネクタは、取付具コネクタの先端部が挿入される挿入口を端面に有し、電子部品と接続されるとともに、本体基板の背面側に固定される。そして、電気機器本体は、挿入口を取付具の一方の端部側に向けた状態、かつ取付具の他方の端部側に向いた状態に揺動した取付具コネクタの先端部が挿入口に挿入された状態で、取付具に固定される。
【発明の効果】
【００１０】
本発明では、機器内配線に接続された取付具コネクタが、コネクタホルダが有する保持部材に保持され、さらに、その保持部材が取付具に固定された台座部材に保持されているので、取付具コネクタ、コネクタホルダの保持部材及び台座部材を介して機器内配線を取付具に固定することができる。また、取付具コネクタが取付具の正面側に固定され、本体コネクタが電気機器本体の本体基板の背面側に固定されているので、機器内配線を短くすることができる。そのため、本発明は、取付具と電気機器本体との間で機器内配線がたわむことを防止することができる。また、取付具コネクタの先端部を本体コネクタの挿入口に挿入して接続するので、本発明では取付具と電気機器本体との接続が容易である。
【図面の簡単な説明】
【００１１】
【図１】本発明の実施の形態１に係る壁掛けコントローラ装置を示す斜視図である。
【図２】壁掛けコントローラ装置を示す分解斜視図である。
【図３】壁掛けコントローラ装置の取付具コネクタおよびコネクタホルダを示す拡大断面図である。
【図４】壁掛けコントローラ装置の本体コネクタを示す拡大断面図である。
【図５Ａ】壁掛けコントローラ装置のコントローラ本体を取付具に固定するときの、コントローラ本体の向きを示す断面図である。
【図５Ｂ】コントローラ本体を取付具に被せるときの被せ方を示す断面図である。
【図５Ｃ】コントローラ本体を取付具に被せるときのコネクタホルダが回転した状態を示す断面図である。
【図５Ｄ】取付具コネクタがガイドピンにあたった状態を示す断面図である。
【図５Ｅ】取付具コネクタが本体コネクタに嵌合した状態を示す断面図である。
【図５Ｆ】コントローラ本体が取付具に固定された状態を示す断面図である。
【図６Ａ】取付具コネクタの先端が本体コネクタに達した状態を示す断面図である。
【図６Ｂ】取付具コネクタが本体コネクタに嵌合した状態を示す断面図である。
【図６Ｃ】コントローラ本体が取付具に固定したときの取付具コネクタおよび本体コネクタの状態を示す断面図である。
【図７】本発明の実施の形態２に係る壁掛けコントローラ装置の取付具を示す斜視図である。
【図８】壁掛けコントローラ装置の取付具コネクタおよびコネクタホルダを示す拡大断面図である。
【図９Ａ】取付具コネクタがガイドピンにあたった状態を示す断面図である。
【図９Ｂ】取付具コネクタが本体コネクタに嵌合した状態を示す断面図である。
【図９Ｃ】コントローラ本体が取付具に固定された状態を示す断面図である。
【図１０Ａ】取付具コネクタの先端が本体コネクタに達した状態を示す断面図である。
【図１０Ｂ】取付具コネクタが本体コネクタに嵌合した状態を示す断面図である。
【図１０Ｃ】コントローラ本体が取付具に固定したときの取付具コネクタおよび本体コネクタの状態を示す断面図である。
【発明を実施するための形態】
【００１２】
以下、本発明の実施の形態に係る壁掛け電気機器について図面を参照して詳細に説明する。なお図中、同一又は同等の部分には同一の符号を付す。また図に示す直交座標系ＸＹＺにおいて、壁掛け電気機器を壁に固定したときの上が＋Ｚ側である。壁を奥、壁掛け電気機器を手前としたとき、奥が＋Ｙ側である。また右が＋Ｘ側である。
【００１３】
（実施の形態１）
実施の形態１に係る壁掛け電気機器は、給湯器を制御する壁掛けコントローラ装置１である。以下に図１〜図３を参照して壁掛けコントローラ装置１の構成を説明する。
【００１４】
図１は、本発明の実施の形態１に係る壁掛けコントローラ装置を示す斜視図である。図１に示すように、壁掛けコントローラ装置１は、建築物の壁１００に取り付けられる装置である。図１に示す建築物の場合、給湯器と壁掛けコントローラ装置１とを接続するための入出力配線２００が壁１００内に通されている。壁１００には、開口１１０が形成され、壁掛けコントローラ装置１から延びる入出力配線２００が引き出されている。壁掛けコントローラ装置１は、入出力配線２００と接続されて給湯器を遠隔操作する。
【００１５】
図２は、壁掛けコントローラ装置を示す分解斜視図である。図２に示すように、壁掛けコントローラ装置１は、背面を壁１００に向けて壁１００に固定される取付具１０と、取付具１０の正面に設けられる取付具コネクタ２０およびコネクタホルダ２１と、その正面に背面を向けて取付具１０に固定されるコントローラ本体３０と、コントローラ本体３０の背面に設けられる本体コネクタ４０と、で構成されている。
【００１６】
取付具１０は、壁１００に固定されてコントローラ本体３０を支持する部材である。また、取付具１０は、壁１００から引き出された入出力配線２００を固定する部材である。取付具１０は、コントローラ本体３０を支持する支持板１１と、入出力配線２００の端部が接続される接続端子１２、とを有する。
【００１７】
支持板１１は正方形状に形成され、壁１００に固定される。支持板１１の側面部には、コントローラ本体３０を固定するためのくぼみ状の被掛止部１１Ａが設けられている。コントローラ本体３０には、後述するように突起状の掛止部３１Ａが設けられている。被掛止部１１Ａは、コントローラ本体３０の掛止部３１Ａとともに、取付具１０とコントローラ本体３０とを固定する固定手段として機能する。被掛止部１１Ａは、コントローラ本体３０の掛止部３１Ａが掛止することで、コントローラ本体３０を固定する。
【００１８】
支持板１１は、支持板１１の、被掛止部１１Ａが設けられた側面部が上（＋Ｚ側）へ向くように壁１００に固定される。
【００１９】
なお、支持板１１が壁１００に固定されたときの、壁側が背面、反対側が正面である。以下、背面、正面は、支持板１１が壁１００に固定されたときの背面、正面を意味する。また、上、下は、取付具１０が壁１００に固定された場合の上、下を意味する。図２ではコントローラ本体３０が上下を反転した状態で示されているが、コントローラ本体３０の構成の説明においても、上、下は、コントローラ本体３０が、壁１００に固定された取付具１０に取り付けられた場合の、上、下を意味する。
【００２０】
支持板１１の板面部には、支持板１１を壁１００に固定するネジ１４が挿入されるネジ挿入孔１５と、入出力配線２００を引き出すための引出孔１１Ｂと、が形成されている。ネジ挿入孔１５は、支持板１１の板面部の四隅に、引出孔１１Ｂは、板面部の中央にそれぞれ形成されている。また、支持板１１の正面の板面部の、引出孔１１Ｂの下には、接続端子１２が設けられている。
【００２１】
接続端子１２は、引出孔１１Ｂから引き出された入出力配線２００が長くならないように、引出孔１１Ｂに隣接するように設けられている。接続端子１２は、配線の端部を挟み込む２つの金属端子をネジで圧着するものである。接続端子１２では、２つの金属端子が付勢されてもよい。接続端子１２は、入出力配線２００と、取付具コネクタ２０に接続された機器内配線１３とを接続している。
【００２２】
取付具コネクタ２０は四角筒状に形成されている。取付具コネクタ２０の先端部は、外形の断面形状が長方形状で、本体コネクタ４０の後述する挿入口４０Ａに挿入可能である。
【００２３】
図３は、壁掛けコントローラ装置の取付具コネクタおよびコネクタホルダを示す拡大断面図である。図３に示すように、取付具コネクタ２０の先端部には、四角筒の内壁と連続するコネクタ開口部２０Ａが形成されている。取付具コネクタ２０の内壁には、コネクタ端子２０Ｂが設けられている。
【００２４】
コネクタ端子２０Ｂは、取付具コネクタ２０の末端部側で機器内配線１３と接続されている。コネクタ端子２０Ｂは、取付具コネクタ２０の先端部が本体コネクタ４０の挿入口４０Ａに挿入された場合に、本体コネクタ４０内に設けられたコネクタ端子４０Ｂと嵌合する。これにより、コネクタ端子２０Ｂは、機器内配線１３と本体コネクタ４０のコネクタ端子４０Ｂとを電気的に接続する。
【００２５】
取付具コネクタ２０の末端部は、コネクタホルダ２１に保持されている。取付具コネクタ２０の末端部には、取付具コネクタ２０の側壁部から突出する凸部２０１、２０２が形成されている。凸部２０１、２０２は、後述するように、取付具コネクタ２０がコネクタホルダ２１に対してスライドした場合に、そのスライドする範囲を規定する構造物である。
【００２６】
コネクタホルダ２１は、取付具コネクタ２０を一定の方向へ可動できるように支持板１１に取り付ける部材である。コネクタホルダ２１は、取付具コネクタ２０をスライド可能に保持する保持部材２１Ａと、支持板１１に固定され、保持部材２１Ａを回転可能に保持する台座部材２１Ｂ、２１Ｃと、で構成されている。
【００２７】
保持部材２１Ａは、図２を参照して、長方形状の天板部２１０の両側それぞれに側壁部２１１、２１２が設けられた形状に形成されている。保持部材２１Ａは、図３に示すように、側壁部２１１と２１２とが平行に対向している。そして、側壁部２１１と２１２との間には、機器内配線１３が挿入されている。また、取付具コネクタ２０が緩挿されている。側壁部２１１と２１２との間では機器内配線１３と取付具コネクタ２０が接続されている。
【００２８】
保持部材２１Ａの側壁部２１１と２１２とは、取付具コネクタ２０のスライド部として機能する。保持部材２１Ａでは、取付具コネクタ２０が側壁部２１１、２１２に沿ってスライド可能である。また、側壁部２１１と２１２とが、機器内配線１３と取付具コネクタ２０との接続部を挟み込んで、接続部を保護する。
【００２９】
保持部材２１Ａの側壁部２１１と２１２には、取付具コネクタ２０が側壁部２１１、２１２に対してスライドした場合に側壁部２１１、２１２から脱落しないようにするストッパ部２１３〜２１６が形成されている。また、保持部材２１Ａの側壁部２１１と２１２には、台座部材２１Ｂ、２１Ｃの、後述する軸部２２１、２２２を保持する軸受部２１７、２１８が設けられている。
【００３０】
ストッパ部２１３〜２１６は、保持部材２１Ａの側壁部２１１、２１２の内壁から、側壁部２１１と２１２との間に向かって突出する凸部状の構造物である。一方、取付具コネクタ２０の末端部には、上述したように、凸部２０１、２０２が形成されている。凸部２０１、２０２は、保持部材２１Ａの側壁部２１１、２１２に向かって突出している。ストッパ部２１３、２１４は、保持部材２１Ａの側壁部２１１、２１２の、取付具コネクタ２０が緩挿された側の端部に設けられている。また、ストッパ部２１５、２１６は、ストッパ部２１３、２１４が設けられた側壁部２１１、２１２の端部と、その端部と反対側の端部との間の中間部に設けられている。
【００３１】
ストッパ部２１３と２１５との間隔は、取付具コネクタ２０の凸部２０１の、ストッパ部２１３から２１５へ向かう方向の幅よりも大きく、ストッパ部２１３と２１５との間には、取付具コネクタ２０の凸部２０１が挟み込まれている。また、ストッパ部２１４と２１６との間隔は、取付具コネクタ２０の凸部２０２の、ストッパ部２１４から２１６へ向かう方向の幅よりも大きく、ストッパ部２１４と２１６との間には、取付具コネクタ２０の凸部２０２が挟み込まれている。ストッパ部２１３〜２１６は、取付具コネクタ２０が保持部材２１Ａに対してスライドした場合に、そのスライドする範囲を規定する。これにより、ストッパ部２１３〜２１６は、取付具コネクタ２０の脱落を防止する。
【００３２】
軸受部２１７、２１８は、保持部材２１Ａの側壁部２１１、２１２の、取付具コネクタ２０が緩挿された側の端部と反対側の端部近傍に設けられている。軸受部２１７、２１８は、保持部材２１Ａの側壁部２１１、２１２を垂直に貫通する貫通孔で構成されたすべり軸受である。軸受部２１７、２１８には、台座部材２１Ｂ、２１Ｃの軸部２２１、２２２が挿入されている。
【００３３】
図２に戻って、台座部材２１Ｂ、２１Ｃは、保持部材２１Ａの側壁部２１１、２１２を両側から挟み込む２つの半円状の板で構成されている。台座部材２１Ｂ、２１Ｃの半円状の板の中央には、その板面から垂直に延びる軸部２２１、２２２が設けられている。軸部２２１、２２２は、支持板１１の板面の上辺と平行に延びている。軸部２２１、２２２は、保持部材２１Ａを上下方向へ回転可能にする。
【００３４】
台座部材２１Ｂ、２１Ｃは、支持板１１の正面側の板面に固定されている。台座部材２１Ｂ、２１Ｃは、支持板１１の下辺の近傍に配置され、保持部材２１Ａを支持板１１の下辺の近傍に位置させる。保持部材２１Ａが保持する取付具コネクタ２０は、後述するように、本体コネクタ４０の下から本体コネクタ４０の挿入口４０Ａに挿入される。台座部材２１Ｂ、２１Ｃは、支持板１１の下辺の近傍に配置されることにより、取付具コネクタ２０の本体コネクタ４０の挿入口４０Ａへの挿入を容易にする。
【００３５】
コントローラ本体３０は、図３に示すように、コントローラ本体３０の外形を画定するケース３１と、ケースに収容された表示パネル３４および操作ボタン３５と、表示パネル３４および操作ボタン３５を制御する電子部品３３と、電子部品３３が接続された本体基板３２と、で構成されている。
【００３６】
ケース３１は額縁状に形成されている。ケース３１は、コントローラ本体３０が取付具１０に固定された場合に取付具１０の支持板１１に被せられる。ケース３１の額縁の内壁には、ケース３１が取付具１０の支持板１１に被せられたときに、ケース３１を支持板１１に固定する突起状の掛止部３１Ａが形成されている。掛止部３１Ａは、ケース３１が支持板１１に被せられたときの、支持板１１の被掛止部１１Ａと重なり合う位置に形成されている。掛止部３１Ａは、支持板１１の被掛止部１１Ａに掛止してケース３１を支持板１１に固定する。
【００３７】
図１を参照して、ケース３１の額縁の正面には、開口部３１Ｂが形成されている。開口部３１Ｂには、図１に示すように、表示パネル３４および操作ボタン３５が嵌め込まれ、開口部３１Ｂから表示パネル３４の表示面、操作ボタン３５の操作面が露出する。
なお、ケース３１の開口部が形成された面が、コントローラ本体３０の正面であり、その反対側が背面である。
【００３８】
表示パネル３４は液晶ディスプレイ、ＥＬディスプレイ等で構成されている。表示パネル３４にはコントローラ本体３０の状態、給湯器の運転状態、操作ボタン３５の使用方法等が表示される。
【００３９】
操作ボタン３５はプッシュボタンで構成されている。操作ボタン３５は、表示パネル３４の明るさや表示時間を調整したり給湯器の電源をオン、オフしたりする場合に使用される。
【００４０】
電子部品３３は、マイクロコンピュータやコンデンサ等で構成されている。電子部品３３は、表示パネル３４および操作ボタン３５のほか、コントローラ本体３０が取付具１０に取り付けられた場合に給湯器を制御する。
【００４１】
本体基板３２には、表示パネル３４、操作ボタン３５および電子部品３３が実装されている。これらの部品は本体基板３２の正面側の面に設けられている。一方、本体基板３２の背面側の面には、図２に示すように、本体コネクタ４０が実装されている。
【００４２】
本体コネクタ４０は四角筒状に形成されている。本体コネクタ４０の四角筒の内壁の断面形状は、長方形状で、取付具コネクタ２０の先端部の断面と同じ形状である。本体コネクタ４０の四角筒の端面には、挿入口４０Ａが形成されている。本体コネクタ４０には挿入口４０Ａから四角筒内部へ本体コネクタ４０の先端部が挿入可能である。
【００４３】
図４は、壁掛けコントローラ装置の本体コネクタを示す拡大断面図である。図４に示すように、本体コネクタ４０の四角筒の、挿入口４０Ａと反対側の内壁には、挿入口４０Ａに向かって延びる突起状のコネクタ端子４０Ｂが設けられている。コネクタ端子４０Ｂは、取付具コネクタ２０が挿入口４０Ａに挿入された場合に取付具コネクタ２０のコネクタ端子２０Ｂと当接して嵌合する。
【００４４】
図２に戻って、本体コネクタ４０は、コントローラ本体３０の背面の中央近傍に設けられている。上述したように、コネクタホルダ２１の台座部材２１Ｂ、２１Ｃは、支持板１１の下辺の近傍に設けられている。本体コネクタ４０は、コネクタホルダ２１に保持される取付具コネクタ２０を下から挿入することができるように、挿入口４０Ａを下に向けて配置されている。
【００４５】
本体コネクタ４０の挿入口４０Ａに、取付具コネクタ２０の先端部を挿入する場合、本体コネクタ４０がコントローラ本体３０の背面側にあるため、取付具コネクタ２０の挿入作業が難しいことがある。例えば、コントローラ本体３０が大型化した場合に、コントローラ本体３０が目視確認の障害となって挿入作業が難しくなる。そこで、コントローラ本体３０には、本体コネクタ４０の挿入口４０Ａに取付具コネクタ２０の先端を案内するガイド部材５０、６０が設けられている。
【００４６】
ガイド部材５０、６０は円柱状のピンで構成されている。ガイド部材５０と６０とは本体コネクタ４０の挿入口４０Ａの両側にそれぞれ一つずつ設けられている。ガイド部材５０と６０とは、本体コネクタ４０の挿入口４０Ａのやや下に配置されている。ガイド部材５０と６０との隙間は、コネクタホルダ２１の保持部材２１Ａの幅と同じであり、保持部材２１Ａが差し込み可能である。この隙間に保持部材２１Ａが差し込まれた場合に、ガイド部材５０、６０の円柱面が保持部材２１Ａを案内する。ガイド部材５０、６０の円柱面は、ガイド部材５０と６０との隙間が最も狭くなる方向へ保持部材２１Ａを案内する。これにより、ガイド部材５０、６０は、取付具コネクタ２０の先端を本体コネクタ４０の挿入口４０Ａに位置させる。
【００４７】
以下に、図５Ａ〜図６Ｃを参照してコントローラ本体３０を取付具１０に取り付けて、壁掛けコントローラ装置１を組み立てる方法を説明する。ここでは、図１に示すように、給湯器と接続された入出力配線２００が建築物の壁１００に通され、壁１００の開口１１０から引き出されている場合を前提とする。まず、コントローラ本体３０を取付具１０に取り付ける前の工程について説明する。
【００４８】
接続端子１２と取付具コネクタ２０とを機器内配線１３で接続した取付具１０を用意する。また、本体コネクタ４０や表示パネル３４等が実装された本体基板３２を組み込んだコントローラ本体３０を用意する。そして、用意した取付具１０の背面を壁１００に向け、入出力配線２００を取付具１０の支持板１１の引出孔１１Ｂに通す。
【００４９】
次に、支持板１１の被掛止部１１Ａが設けられた側面を上にして、支持板１１で壁１００の開口１１０を覆うように支持板１１を壁１００に配置する。そして、配置された支持板１１をネジ１４で壁１００に固定する。
【００５０】
支持板１１を壁１００に固定した状態で、支持板１１の接続端子１２に、引出孔１１Ｂを通した入出力配線２００を接続する。以上の工程で、コントローラ本体３０を取付具１０に取り付け前の工程が終了する。続いて、コントローラ本体３０を取付具１０に取り付ける。
【００５１】
図５Ａ〜図６Ｃは、実施の形態１に係る壁掛けコントローラ装置１の組立方法を示す断面図である。なお、図５Ａ〜図５Ｆにおいて、取付具１０の左が上（＋Ｚ側）である。また、図６Ａ〜図６Ｃにおいて本体コネクタ４０の左が上（＋Ｚ側）である。
【００５２】
図５Ａに示すように、入出力配線２００が接続された取付具１０の下に、用意したコントローラ本体３０を並べる。コントローラ本体３０は、正面を壁１００に向け、本体コネクタ４０の挿入口４０Ａが上を向いた状態にする。そして、取付具コネクタ２０をコントローラ本体３０側へ向ける。この状態で、コントローラ本体３０が取付具１０に被さるように、コントローラ本体３０を矢印Ａの方向へ回転させる。
【００５３】
コントローラ本体３０が取付具１０の支持板１１に対して傾くと、図５Ｂに示すように、コントローラ本体３０のケース３１の側面部を、取付具コネクタ２０の先端部に引っ掛ける。さらに、コントローラ本体３０を矢印Ｂ１の方向へ回転させる。これにより、取付具コネクタ２０の先端部は矢印Ｂ２の方向へ回転しながら、コントローラ本体３０のケース３１内に差し込まれていく。
【００５４】
図５Ｃに示すように、ケース３１内に差し込まれた取付具コネクタ２０の先端部をケース３１内の本体基板３２に押し当てるように、コントローラ本体３０を矢印Ｃ１の方向の斜め上方向へ移動させる。本体基板３２に押し当てられた取付具コネクタ２０の先端部が、本体基板３２の表面に沿って矢印Ｃ２の方向へ移動する。
【００５５】
取付具コネクタ２０の先端部が、ガイド部材５０（６０）まで移動すると、図５Ｄおよび図６Ａに示すように、コネクタホルダ２１がガイド部材５０、６０に当接するようになる。コネクタホルダ２１をガイド部材５０と６０との間に差し込むため、コントローラ本体３０を矢印Ｄ１の方向へ回転させながら、矢印Ｄ２の方向へ移動させる。これにより、コネクタホルダ２１がガイド部材５０、６０によって本体コネクタ４０へ案内される。
【００５６】
図５Ｅおよび図６Ｂに示すように、ガイド部材５０、６０の案内により、取付具コネクタ２０が本体コネクタ４０へ差し込まれる。取付具コネクタ２０が本体コネクタ４０に差し込まれたまま、コントローラ本体３０のケース３１を取付具１０の支持板１１に被せるため、図５Ｅに示すように、コントローラ本体３０を矢印Ｅ１へ押し込む。このとき、コントローラ本体３０のケース３１の掛止部３１Ａを取付具１０の支持板１１の被掛止部１１Ａに掛止させるため、コントローラ本体３０を、矢印Ｅ２の方向へ移動させる。
【００５７】
コントローラ本体３０が矢印Ｅ２の方向の移動に伴い、本体コネクタ４０に差し込まれた取付具コネクタ２０は、本体コネクタ４０に取付具コネクタ２０を差し込む方向と逆方向へ移動する。
【００５８】
コントローラ本体３０を矢印Ｅ２の方向へ距離Ｅ３だけ移動させると、コントローラ本体３０のケース３１の掛止部３１Ａが取付具１０の支持板１１の被掛止部１１Ａに掛止する。
【００５９】
このとき、ケース３１から本体コネクタ４０に力が加わる。その力の方向は矢印Ｅ１およびＥ２の方向である。本体コネクタ４０に挿入された取付具コネクタ２０は、その力によって押される。取付具コネクタ２０は、コネクタホルダ２１によって回転およびスライドする。これにより、本体コネクタ４０および取付具コネクタ２０に負荷がかからず、破損することがない。
【００６０】
掛止部３１Ａが被掛止部１１Ａに掛止することで、図５Ｆに示すように、コントローラ本体３０が取付具１０に固定される。これにより、取付具１０とコントローラ本体３０の組み立てが終了する。
【００６１】
なお、ストッパ部２１３と２１５との間隔およびストッパ部２１４と２１６の間隔は、ケース３１の掛止部３１Ａが支持板１１の被掛止部１１Ａに掛止するときの、ケース３１が矢印Ｅ２の方向へ移動する距離Ｅ３よりも大きい。そのため、図６Ｃに示すように、取付具コネクタ２０の凸部２０１、２０２は、コネクタホルダ２１のストッパ部２１５、２１６から上へ距離Ｅ３だけ離れて停止する。従って、ケース３１の掛止部３１Ａが支持板１１の被掛止部１１Ａに掛止するときに、取付具コネクタ２０が本体コネクタ４０から抜けたり、本体コネクタ４０および取付具コネクタ２０が破損したりすることがない。
【００６２】
以上のように、実施の形態１に係る壁掛けコントローラ装置１は、機器内配線１３に接続された取付具コネクタ２０が取付具１０に設けられたコネクタホルダ２１に保持されている。そのため、機器内配線１３が取付具コネクタ２０およびコネクタホルダ２１を介して取付具１０に固定される。その結果、機器内配線１３が不用意に動くことがない。実施の形態１に係る壁掛けコントローラ装置１では、取付具１０とコントローラ本体３０との間で機器内配線１３がたわむことを防止することができる。
【００６３】
また、コネクタホルダ２１が、取付具コネクタ２０をスライド可能に保持する保持部材２１Ａと、保持部材２１Ａの末端部を回転可能に保持する台座部材２１Ｂと、を備えている。そのため、コントローラ本体３０を取付具１０に取り付けるときに、取付具コネクタ２０が本体コネクタ４０からはずれにくい。そのため、コントローラ本体３０の取付具１０への取り付け作業でコントローラ本体３０を移動させることを考慮して配線を長くする必要がない。その結果、配線が取付具１０とコントローラ本体３０の間に挟まることがない。また、取付具コネクタ２０がスライドする方向と回転する方向とが定まっているため、取付具コネクタ２０の位置を予想することができる。本体コネクタ４０と取付具コネクタ２０との接続が容易である。
【００６４】
また、取付具コネクタ２０が取付具１０の正面に設けられ、本体コネクタ４０がコントローラ本体３０の背面に設けられている。そのため、機器内配線１３を長くして取付具１０とコントローラ本体３０とを接続する必要がない。壁掛けコントローラ装置１では、機器内配線１３を短くして、機器内配線１３がたわむことを防止することができる。機器内配線１３を短くすることができるので、取付具１０にコントローラ本体３０を取り付けるときに、取付具１０とコントローラ本体３０との間に機器内配線１３が挟まれることがない。さらに、取付具１０の正面を見ながら、本体コネクタ４０と取付具コネクタ２０とを接続することができるので、接続作業が容易である。
【００６５】
壁掛けコントローラ装置１では、取付具コネクタ２０を本体コネクタ４０の挿入口４０Ａに挿入して取付具コネクタ２０のコネクタ端子２０Ｂと本体コネクタ４０のコネクタ端子４０Ｂとを嵌合する。そのため、取付具１０とコントローラ本体３０との接続が容易である。
【００６６】
コネクタホルダ２１の保持部材２１Ａにはストッパ部２１３〜２１６が設けられている。そして、ストッパ部２１３〜２１６が取付具コネクタ２０の凸部２０１、２０２を挟み込んでいる。そのため、取付具コネクタ２０がコネクタホルダ２１から抜けることがない。コントローラ本体３０を取付具１０に取り付けるときのみならず、取り外すときにも取付具コネクタ２０がコネクタホルダ２１から抜けることを防止することができる。
【００６７】
壁掛けコントローラ装置１では、本体コネクタ４０と取付具コネクタ２０とを接続した状態のまま、掛止部３１Ａを被掛止部１１Ａに掛止させることができる。その結果、コントローラ本体３０の取付具１０への取り付けが容易である。また、本体コネクタ４０と取付具コネクタ２０との間には掛止部３１Ａを掛止させるときの力がかかりにくい。壁掛けコントローラ装置１では、本体コネクタ４０と取付具コネクタ２０の接続が劣化したり破損したりすることを防止することができる。
【００６８】
コントローラ本体３０にはガイド部材５０、６０が設けられている。ガイド部材５０、６０はコネクタホルダ２１を挟み込むようにして、コネクタホルダ２１先端にある取付具コネクタ２０を本体コネクタ４０へ案内する。そのため、取付具コネクタ２０と本体コネクタ４０の接続が容易であり、接続作業の負担を軽減することができる。
【００６９】
（実施の形態２）
実施の形態２に係る壁掛けコントローラ装置１は、コネクタホルダ２１の保持部材２１Ａの軸受部２１９、２２０が長孔で構成されている。以下に、図７および図８を参照して実施の形態２に係る壁掛けコントローラ装置１の構成を説明する。実施の形態２では、実施の形態１と異なる構成について説明する。
【００７０】
図７は、本発明の実施の形態２に係る壁掛けコントローラ装置の取付具を示す斜視図である。図８は、壁掛けコントローラ装置の取付具コネクタおよびコネクタホルダを示す拡大断面図である。図７および図８に示すように、軸受部２１９、２２０の長孔は、台座部材２１Ｂ、２１Ｃの軸部２２１、２２２の直径よりも長軸が長い。軸受部２１９、２２０の長孔は、保持部材２１Ａの側壁部２１１、２１２を垂直に貫通している。そして、軸受部２１９、２２０の長孔には、台座部材２１Ｂ、２１Ｃの軸部２２１、２２２が挿入されている。
【００７１】
台座部材２１Ｂ、２１Ｃの軸部２２１、２２２が延びる方向は、実施の形態１と同様である。これにより、軸受部２１９、２２０を有する、コネクタホルダ２１の保持部材２１Ａが、台座部材２１Ｂ、２１Ｃの軸部２２１、２２２に対してスライド可能である。保持部材２１Ａは、軸受部２１９、２２０の長孔の長軸の長さから台座部材２１Ｂ、２１Ｃの軸部２２１、２２２の直径を減算した幅までスライドする。
なお、軸受部２１９、２２０の長孔の長軸は、保持部材２１Ａの末端から先端へ向かう方向へ延びている。保持部材２１Ａは、先端側又は末端側へスライドする。
【００７２】
実施の形態２においても、保持部材２１Ａのストッパ部２１３と２１５とが取付具コネクタ２０の凸部２０１を挟み込んでいる。また、保持部材２１Ａのストッパ部２１４と２１６とが取付具コネクタ２０の凸部２０２を挟み込んでいる。ストッパ部２１３と２１５との隙間およびストッパ部２１４と２１６との隙間は、凸部２０１、２０２の幅よりもやや大きく、取付具コネクタ２０は、ストッパ部２１３と２１５との隙間およびストッパ部２１４と２１６との隙間だけわずかにスライドする。
【００７３】
以下に、図９Ａ〜図１０Ｃを参照してコントローラ本体３０を取付具１０に取り付けて、壁掛けコントローラ装置１を組み立てる方法を説明する。支持板１１を壁１００に固定する工程から、コントローラ本体３０内の本体基板３２を、取付具コネクタ２０の先端部に押し付ける工程（すなわち図５Ｃに示す工程）までは、実施の形態１と同様であるため、それよりも後の工程について説明する。なお、図９Ａ〜図９Ｃにおいて、取付具１０の左が上（＋Ｚ側）である。また、図１０Ａ〜図１０Ｃにおいて本体コネクタ４０の左が上（＋Ｚ側）である。
【００７４】
図９Ａ〜図１０Ｃは、実施の形態２に係る壁掛けコントローラ装置１の組立方法を示す断面図である。図９Ａに示すように、コントローラ本体３０を矢印Ｄ１の方向へ回転させながら、矢印Ｄ２の方向へ移動させる。これにより、図１０Ａに示すように、取付具コネクタ２０の先端部の先端がガイド部材５０、６０によって本体コネクタ４０へ案内され、取付具コネクタ２０の先端が本体コネクタ４０へ差し込まれていく。
【００７５】
図９Ｂおよび図１０Ｂに示すように、取付具コネクタ２０の先端が本体コネクタ４０へ差し込まれる。コントローラ本体３０のケース３１を取付具１０の支持板１１に被せるため、図９Ｂに示すように、コントローラ本体３０を矢印Ｅ１へ押し込む。このとき、コントローラ本体３０のケース３１の掛止部３１Ａを取付具１０の支持板１１の被掛止部１１Ａに掛止させるため、コントローラ本体３０を、矢印Ｅ２の方向へ移動させる。
【００７６】
コントローラ本体３０を矢印Ｅ２の方向へ距離Ｅ３だけ移動させると、コントローラ本体３０のケース３１の掛止部３１Ａが取付具１０の支持板１１の被掛止部１１Ａに掛止する。
【００７７】
このとき、ケース３１から本体コネクタ４０に力が加わる。その力の方向は矢印Ｅ１およびＥ２の方向である。本体コネクタ４０に挿入された取付具コネクタ２０は、その力によって押される。取付具コネクタ２０は、コネクタホルダ２１によって回転およびスライドする。コネクタホルダ２１のスライドは、台座部材２１Ｂ、２１Ｃの軸部２２１、２２２に対して長孔の軸受部２１９、２２０を有する保持部材２１Ａがスライドすることで行われる。これにより、本体コネクタ４０および取付具コネクタ２０に負荷がかからず、破損することがない。
【００７８】
掛止部３１Ａが被掛止部１１Ａに掛止することで、コントローラ本体３０が取付具１０に固定される。これにより、取付具１０とコントローラ本体３０の組み立てが終了する。
【００７９】
なお、保持部材２１Ａの軸受部２１９、２２０における長孔の長軸は、ケース３１の掛止部３１Ａが支持板１１の被掛止部１１Ａに掛止するときの、ケース３１が矢印Ｅ２の方向への移動する距離Ｅ３よりも大きい。また、保持部材２１Ａのストッパ部２１３と２１５の隙間およびストッパ部２１４と２１６の隙間は、取付具コネクタ２０の凸部２０１および２０２の幅よりもやや大きい。そのため、図１０Ｃに示すように、軸受部２１９、２２０を有する保持部材２１Ａは、軸受部２１９、２２０の長孔に台座部材２１Ｂ、２１Ｃの軸部２２１、２２２が当接しない位置で停止する。従って、ケース３１の掛止部３１Ａが支持板１１の被掛止部１１Ａに掛止するときに、取付具コネクタ２０が本体コネクタ４０から抜けたり、本体コネクタ４０および取付具コネクタ２０が破損したりすることがない。
【００８０】
図９Ｃに示すように、コントローラ本体３０が取付具１０に固定される。これにより、コントローラ本体３０の取付具１０への取り付けが終了する。
【００８１】
以上のように、実施の形態２に係る壁掛けコントローラ装置１は、コネクタホルダ２１の、長孔で構成された軸受部２１９、２２０に台座部材２１Ｂ、２１Ｃの軸部２２１、２２２が挿入されている。軸受部２１９、２２０の長孔は、台座部材２１Ｂ、２１Ｃの軸部２２１、２２２の直径よりも長い。そのため、コネクタホルダ２１は、台座部材２１Ｂ、２１Ｃの軸部２２１、２２２に対してスライド可能である。コネクタホルダ２１がスライドするため、取付具コネクタ２０に力が加わった場合でも取付具コネクタ２０に衝撃がかかりにくい。実施の形態２では、本体コネクタ４０と取付具コネクタ２０の接続が劣化したり破損したりすることを防止することができる。
【００８２】
台座部材２１Ｂ、２１Ｃの軸部２２１、２２２は、軸受部２１９、２２０の長孔が保持部材２１Ａの側壁部２１１、２１２を貫通する方向に挿入されている。そのため、軸部２２１、２２２が軸受部２１９、２２０の長孔から外れない。その結果、軸受部２１９、２２０を有するコネクタホルダ２１が軸部２２１、２２２に対してスライドした場合でも、コネクタホルダ２１が抜け落ちることがない。
【００８３】
以上、本発明の実施の形態を説明したが、本発明は上記の実施の形態等に限定されるものではない。例えば、実施の形態１および２では、外部機器が給湯器で、電気機器本体がコントローラ本体３０であった。しかし、本発明は、これに限定されない。本発明では、外部機器は電気機器本体と接続されるものであればよい。また、電気機器本体は、電気で動作する電気機器の本体であればよい。例えば、外部機器が電源で、電気機器本体がエアコンや太陽光発電装置であってもよい。また、外部機器と電気機器本体がともにインターフォンであってもよい。このように、本発明は、壁１００に固定される電気機器全般に適用可能である。
【００８４】
実施の形態１および２では、取付具コネクタ２０が本体コネクタ４０の挿入口４０Ａに挿入されていた。しかし、本発明はこれに限定されない。本発明では、本体コネクタ４０は、取付具コネクタ２０が本体コネクタ４０に嵌合して接続されるものであればよい。本体コネクタ４０の先端が取付具コネクタ２０の挿入口に挿入されてもよい。
【００８５】
実施の形態１および２では、コントローラ本体３０のケース３１の掛止部３１Ａが取付具１０の支持板１１の被掛止部１１Ａに掛止することで、コントローラ本体３０が取付具１０に固定されていた。しかし、本発明はこれに限定されない。本発明では、ケース３１の掛止部３１Ａおよび支持板１１の被掛止部１１Ａは、取付具１０とコントローラ本体３０とを押し付けて固定する固定部材であればよい。この場合、コネクタホルダ２１がコントローラ本体３０と取付具１０とを押し付ける方向に、取付具コネクタ２０を可動させるとよい。例えば、コントローラ本体３０の背面に円柱状のピンが設けられ、取付具１０の支持板１１に、コントローラ本体３０の円柱状のピンが圧入される貫通孔が形成されてもよい。この場合、コネクタホルダ２１が取付具コネクタ２０を円柱状のピンが圧入される方向に可動させるとよい。このような形態でも、コントローラ本体３０と取付具１０とを固定する際に、取付具コネクタ２０の破損を防止することができる。
【００８６】
実施の形態１および２では、コントローラ本体３０がコネクタホルダ２１を案内するガイド部材５０、６０を有していた。しかし、本発明はこれに限定されない。本発明では、ガイド部材５０、６０は、取付具コネクタ２０を本体コネクタ４０へ案内するガイド部材であればよい。従って、ガイド部材５０、６０は、円柱形状に限られず、板状であってもよい。
【００８７】
実施の形態１および２では、ガイド部材５０、６０とコントローラ本体３０のケース３１とが別々の部品であったが、これらの部品は一体の部品であってもよい。例えば、円柱状のピンで構成されるガイド部材５０、６０がケース３１と一体成形されてもよい。この場合、金型を増やすことなく製造できるので、製造コストをより小さくすることができる。
【符号の説明】
【００８８】
１  壁掛けコントローラ装置、１０  取付具、１１  支持板、１１Ａ  被掛止部、１１Ｂ  引出孔、１２  接続端子、１３  機器内配線、１４  ネジ、１５  ネジ挿入孔、２０  取付具コネクタ、２０Ａ  開口部、２０Ｂ  コネクタ端子、２１  コネクタホルダ、２１Ａ  保持部材、２１Ｂ、２１Ｃ  台座部材、３０  コントローラ本体、３１  ケース、３１Ａ  掛止部、３１Ｂ  開口部、３２  本体基板、３３  電子部品、３４  表示パネル、３５  操作ボタン、４０  本体コネクタ、４０Ａ  挿入口、４０Ｂ  コネクタ端子、５０、６０  ガイド部材、１００  壁、１１０  開口、２００  入出力配線、２０１、２０２  凸部、２１０  天板部、２１１、２１２  側壁部、２１３〜２１６  ストッパ部、２１７〜２２０  軸受部、２２１、２２２  軸部、Ａ、Ｂ１、Ｂ２、Ｃ１、Ｃ２、Ｄ１、Ｄ２、Ｅ１、Ｅ２  矢印、Ｅ３  距離。
【図１】
0006758049.tif 000002
【図２】
0006758049.tif 000003
【図３】
0006758049.tif 000004
【図４】
0006758049.tif 000005
【図５Ａ】
0006758049.tif 000006
【図５Ｂ】
0006758049.tif 000007
【図５Ｃ】
0006758049.tif 000008
【図５Ｄ】
0006758049.tif 000009
【図５Ｅ】
0006758049.tif 000010
【図５Ｆ】
0006758049.tif 000011
【図６Ａ】
0006758049.tif 000012
【図６Ｂ】
0006758049.tif 000013
【図６Ｃ】
0006758049.tif 000014
【図７】
0006758049.tif 000015
【図８】
0006758049.tif 000016
【図９Ａ】
0006758049.tif 000017
【図９Ｂ】
0006758049.tif 000018
【図９Ｃ】
0006758049.tif 000019
【図１０Ａ】
0006758049.tif 000020
【図１０Ｂ】
0006758049.tif 000021
【図１０Ｃ】
0006758049.tif 000022